(57)【要約】【課題】光ファイバと透光性媒体との結合損失を低減することができる光分岐装置、及びこれを備えた光モジュールと光伝送システムを得る。【解決手段】透光性媒体２２の入射部４０へ入射した光信号は、傾斜面４０Ａによって６個の出射部４２に向けて反射される。また、反射された光信号は、各出射部４２に設けられた傾斜面４２Ａで反射される。傾斜面４０Ａ、４２Ａで反射することで、光信号の一部が散乱されてしまうが、出射光ファイバ４６の開口数（ＮＡ３）は、入射光ファイバ２４の開口数（ＮＡ１）より大きく設けられている。このため、入射光ファイバ２４及び出射光ファイバ４６と透光性媒体２２との結合損失を低減することができる。【選択図】図１
2008064869.tif 000002
【特許請求の範囲】
【請求項１】
一端に複数の段差部を有し、少なくとも一端または他端のいずれかに、光信号を透光性媒体に入射または透光性媒体から出射させるための傾斜面を備えた板状の透光性媒体と、入射部に結合され、前記光信号を前記透光性媒体に入射する入射光ファイバと、前記出射部に結合され、前記透光性媒体からの信号光を出射する出射光ファイバと、を備えた光分岐装置において、
前記出射光ファイバの開口数が前記入射光ファイバの開口数より大きいことを特徴とする光分岐装置。
【請求項２】
前記出射光ファイバのコア径が前記入射光ファイバのコア径より大きいことを特徴とする請求項１記載の光分岐装置。
【請求項３】
前記入射光ファイバの開口数（ＮＡ１）と、前記透光性媒体の開口数（ＮＡ２）と、前記出射光ファイバの開口数（ＮＡ３）とが下記関係式を満たすことを特徴とする請求項１又は２記載の光分岐装置。    
・ＮＡ１＝ＮＡ２＜ＮＡ３
・または、ＮＡ１＜ＮＡ２＞ＮＡ３  かつＮＡ１＜ＮＡ３
・または、ＮＡ１＜ＮＡ２≦ＮＡ３
【請求項４】
複数の前記入射光ファイバの両端面、及び複数の前記出射光ファイバの両端面を同一仕様のコネクタで束ね、前記光信号の複数の発光部、複数の前記透光性媒体、及び前記光信号の複数の受光部に光結合させることを特徴とする請求項１乃至３何れか１項に記載された光分岐装置。
【請求項５】
前記入射光ファイバと前記出射光ファイバの前記透光性媒体側の端面が前記コネクタの光ファイバ挿入孔に挿入され、前記透光性媒体へ接続されるピッチが、前記入射光ファイバの前記発光部側の端面と前記出射光ファイバの前記受光部側の端面が接続されるピッチと相違することを特徴とする請求項４記載の光分岐装置。
【請求項６】
請求項１乃至５何れか１項に記載された光分岐装置と、
情報に応じた光信号を前記光分岐装置へ発信する発光素子と、
前記発光素子が発光した光信号を、前記光分岐装置を通して受信する受光素子と、
を備えることを特徴とした光モジュール。
【請求項７】
外部入力装置から電気信号が伝送される電気インターフェイスと、
前記電気インターフェイスからの電気信号を光信号に変換する光電変換回路と、
前記光信号を分岐する請求項１乃至５何れか１項に記載された分岐装置と、
前記分岐装置によって分岐された光信号を電気信号に変換する光電変換回路と、
を備え、
電気信号を前記電気インターフェイスから外部出力装置に伝送することを特徴とした光伝送システム。
【請求項８】
請求項７記載の光伝送システムにおいて、外部出力装置が画像表示する複数の画像表示装置であることを特徴とする光伝送システム。
【発明の詳細な説明】
【技術分野】
【０００１】
本発明は、光信号を分岐する光分岐装置、及びこれを備えた光モジュールと光伝送システムに関する。
【背景技術】
【０００２】
透光性媒体に光信号を入射して複数に分岐して出力する場合に、板状の透光性媒体を階段状に形成し、各段差部に光信号を反射する傾斜面を設けて光信号の出射部を形成することで、複数本の光ファイバへ光信号を分岐して出射する光分岐装置が提案されている。（特許文献１）
この光分岐装置では、透光性媒体に形成された光信号の出射部の大きさが、出射部から出射された光信号を受光する光ファイバのコア径と概ね等しいことを特徴としており、これにより、透光性媒体と光ファイバとの接続部分における結合損失の改善を図っている。
【特許文献１】特開平２００３−４９７２公報
【発明の開示】
【発明が解決しようとする課題】
【０００３】
しかしながら、各段差部に設けられた光信号を反射する傾斜面には、傾斜面の製作上、理想的な面を作成することはできず、微妙な凹凸やうねり等が付加されてしまう。
【０００４】
このように、凹凸等が傾斜面に付加されることで、透光性媒体に入射した光信号が傾斜面で反射されると拡散してしまう。このような場合、コア径を大きくしただけの光ファイバでは、光信号が光ファイバから外に透過してしまい結合損失を引き起こす場合がある。
【０００５】
本発明は、上記事実を考慮し、光ファイバと透光性媒体との結合損失を低減することが課題である。
【課題を解決するための手段】
【０００６】
本発明の請求項１に係る光分岐装置は、一端に複数の段差部を有し、少なくとも一端または他端のいずれかに、光信号を透光性媒体に入射または透光性媒体から出射させるための傾斜面を備えた板状の透光性媒体と、入射部に結合され、前記光信号を前記透光性媒体に入射する入射光ファイバと、前記出射部に結合され、前記透光性媒体からの信号光を出射する出射光ファイバと、を備えた光分岐装置において、前記出射光ファイバの開口数が前記入射光ファイバの開口数より大きいことを特徴とする。
【０００７】
上記構成によれば、例えば、透光性媒体は、入射光ファイバから入射された光信号を傾斜面で反射させ、複数の出射部を通して光信号を分岐して出射光ファイバへ入射させる。
【０００８】
一方、傾斜面には、製作上、微妙な凹凸やうねり等が付加されてしまうため、透光性媒体に入射して傾斜面で反射した光信号は拡散してしまう。
【０００９】
しかし、出射光ファイバの開口数が入射光ファイバの開口数よい大きいため、透光性媒体から出射光ファイバへ入射した光信号は、出射光ファイバの外へ透過することはない。このように、光ファイバと透光性媒体との結合損失を低減することができる。
【００１０】
本発明の請求項２に係る光分岐装置は、請求項１記載において、前記出射光ファイバのコア径が前記入射光ファイバのコア径より大きいことを特徴とする。
【００１１】
上記構成によれば、出射光ファイバのコア径が入射光ファイバのコア径より大きいため、多くの光信号を受信することができる。
【００１２】
本発明の請求項３に係る光分岐装置は、請求項１又は２記載において、前記入射光ファイバの開口数（ＮＡ１）と、前記透光性媒体の開口数（ＮＡ２）と、前記出射光ファイバの開口数（ＮＡ３）とが下記関係式を満たすことを特徴とする。
・ＮＡ１＝ＮＡ２＜ＮＡ３
・または、ＮＡ１＜ＮＡ２＞ＮＡ３  かつＮＡ１＜ＮＡ３
・または、ＮＡ１＜ＮＡ２≦ＮＡ３
上記構成によれば、入射光ファイバの開口数（ＮＡ１）、透光性媒体の開口数（ＮＡ２）、及び出射光ファイバの開口数（ＮＡ３）が、ＮＡ１＝ＮＡ２＜ＮＡ３、または、ＮＡ１＜ＮＡ２＞ＮＡ３  かつＮＡ１＜ＮＡ３、または、ＮＡ１＜ＮＡ２≦ＮＡ３の関係を満たすため、光信号が傾斜面の反射で拡散されても結合損失を低減することができる。
【００１３】
本発明の請求項４に係る光分岐装置は、請求項１乃至３何れか１項記載において、複数の前記入射光ファイバの両端面、及び複数の前記出射光ファイバの両端面を同一仕様のコネクタで束ね、前記光信号の複数の発光部、複数の前記透光性媒体、及び前記光信号の複数の受光部に光結合させることを特徴とする。
【００１４】
上記構成によれば、同一仕様のコネクタが用いられているため、部品の共通化によるコスト低減を図ることができる。
【００１５】
本発明の請求項５に係る光分岐装置は、請求項４記載において、前記入射光ファイバと前記出射光ファイバの前記透光性媒体側の端面が前記コネクタの光ファイバ挿入孔に挿入され、前記透光性媒体へ接続されるピッチが、前記入射光ファイバの前記発光部側の端面と前記出射光ファイバの前記受光部側の端面が接続されるピッチと相違することを特徴とする。
【００１６】
上記構成によれば、コネクタの光ファイバ挿入孔を使い分けることで各ファイバのピッチの相違に対応している。これにより、同一仕様のコネクタを使用することができ、また、コネクタを新規に作成する必要がない。
【００１７】
本発明の請求項６に係る光モジュールは、請求項１乃至５何れか１項に記載された光分岐装置と、情報に応じた光信号を前記光分岐装置へ発信する発光素子と、前記発光素子が発光した光信号を、前記光分岐装置を通して受信する受光素子と、を備えることを特徴とする。
【００１８】
上記構成によれば、請求項１乃至５何れか１項に記載された光分岐装置が、発光素子によって発信された光信号を分岐し、光分岐装置によって分岐された光信号を受光素子が受信する。
【００１９】
このように、光モジュールは、請求項１乃至５何れか１項に記載された光分岐装置を備えているため、光ファイバと透光性媒体との結合損失を低減することができ、効率よく光信号を伝送することができる。
【００２０】
本発明の請求項７に係る光伝送システムは、外部入力装置から電気信号が伝送される電気インターフェイスと、前記電気インターフェイスからの電気信号を光信号に変換する光電変換回路と、前記光信号を分岐する請求項１乃至５何れか１項に記載された分岐装置と、前記分岐装置によって分岐された光信号を電気信号に変換する光電変換回路と、を備え、電気信号を前記電気インターフェイスから外部出力装置に伝送することを特徴とする。
【００２１】
上記構成によれば、光電変換回路が、電気インターフェイスによって伝送されてきた電気信号を光信号に変換し、この光信号を請求項１乃至５何れか１項に記載された光分岐装置が分岐する。さらに、光電変換回路が、分岐された光信号を電気信に変換する。さらに、この電気信号を電気インターフェイスから外部出力装置に伝送する。
【００２２】
このように、光伝送システムは、請求項１乃至５何れか１項に記載された光分岐装置を備えているため、光ファイバと透光性媒体との結合損失を低減することができ、同時に複数の外部出力装置に信号を送信することができる。
【００２３】
本発明の請求項８に係る光伝送システムは、請求項７記載の光伝送システムにおいて、外部出力装置が画像表示する複数の画像表示装置であることを特徴とする。
【００２４】
上記構成によれば、同時に複数の画像表示装置に信号を送信することができる。
【発明の効果】
【００２５】
本発明によれば、光ファイバと透光性媒体との結合損失を低減することができる。
【発明を実施するための最良の形態】
【００２６】
本発明に係る光分岐装置１８が採用された光モジュール２０の実施形態について図１〜図８に従って説明する。
【００２７】
図８（Ａ）（Ｂ）に示されるように、光モジュール２０は、光信号を分岐する光分岐装置１８と、情報に応じた光信号を光分岐装置１８へ発信する発光素子２６と、発光素子２６が発信した光信号を、光分岐装置１８を通して受信する受光素子６０とを備えている。
【００２８】
この発光素子２６は、発光素子基台３４に取り付けられており、発光素子２６には、発光点ピッチが２５０μｍで構成され、４個の面発光レーザ（ＶＣＳＥＬ）から構成された４ビットＶＣＳＥＬアレイが用いられている。また受光素子６０は、４ビットＰＤアレイが用いられており、図８では６個の受光素子６０とを備えている。
【００２９】
図７に示されるように、発光素子２６の発光面と対向する位置には、光信号を伝送する４本の入射光ファイバ２４の一端が取り付けられた入射第１コネクタ２８が設けられている。入射第１コネクタ２８には、接続孔ピッチが２５０μｍとされた市販の８心タイプのＭＴコネクタが採用されている。そして、この入射第１コネクタ２８の中心側の４つの接続孔に夫々入射光ファイバ２４が接続されている。つまり、発光素子２６の発光点に対応するように２５０μｍピッチで入射光ファイバ２４が入射第１コネクタ２８に接続されている。なお、図７に示す入射第１コネクタ２８内の点線は、使用されていない接続孔を示したものである。
【００３０】
また、図５に示されるように、入射第１コネクタ２８の水平方向に長い矩形状の取付面の両サイドには、発光素子基台３４に向けてガイドピン３０が設けられている。このガイドピン３０を発光素子基台３４（図７参照）の取付穴（図示省略）に嵌め込むことで入射第１コネクタ２８が発光素子基台３４に固定されるようになっている。
【００３１】
さらに、図７に示す入射第１コネクタ２８に取り付けられている入射光ファイバ２４として、本実施形態では、ＢＦ０４４３３（古河電気工業製、開口数（ＮＡ１）＝０．２、コア径/クラッド径=５０/１２５μｍ）が用いられている。
【００３２】
また、４本の入射光ファイバ２４の他端には、入射第１コネクタ２８と同一仕様の入射第２コネクタ３２が設けられており、２５０μｍピッチの８個の接続孔に対し一つおきに入射光ファイバ２４が接続されている。つまり、入射第２コネクタ３２には、入射光ファイバ２４が５００μｍピッチで接続されている。なお、図７に示す入射第２コネクタ３２内の点線は、使用されていない接続孔を示したものである。
【００３３】
さらに、入射第１コネクタ２８と同様に、入射第２コネクタ３２の取付面の両サイドには、後述する透光性媒体２２の取付台３６に向けてガイドピン３８が設けられている。このガイドピン３８を取付台３６の取付穴（図示省略）に嵌め込むことで入射第２コネクタ３２が固定されるようになっている。
【００３４】
また、４本の入射光ファイバ２４からの光信号が入射する４個の板状の透光性媒体２２が、入射第２コネクタ３２の取付面に対向して設けられている。
【００３５】
詳細には、図２に示されるように、透光性媒体２２の一方の端部にはには、入射光ファイバ２４によって入射した光信号を反射し、透光性媒体２２に光信号を導く、４５°の傾斜面４０Ａを備えた入射部４０が設けられている。透光性媒体２２のもう一方の端部には、６つの段差部に形成された４５°の傾斜面４２Ａを備えた出射部４２が設けられている。本実施例では、透光性媒体２２の厚さは５０μｍ、幅（光信号入射部）は３００μｍ、段差部の幅およびピッチは５０μｍ、長さが３００５０μｍとされており、図４に示すように、入射部４０に入射した光信号を入射部４０の傾斜面４０Ａで反射し、さらに、出射部４２の傾斜面４２Ａで反射して光信号を６分岐できるようになっている。また、図３に示すように、各出射部４２の面積（傾斜面４２Ａの投影面の面積）は、１辺が５０μｍの正方形となっている。
【００３６】
なお、図２、図３に示す透光性媒体２２は、透光性媒体２２の形状を理解し易くするため、透光性媒体２２の幅方向を大きくして記載している。
【００３７】
また、図１に示されるように、４個の透光性媒体２２には、入射第２コネクタ３２の接続孔方向に沿って５００μｍピッチで各々の光ファイバ配置されるよう構成されている。
【００３８】
例えば、透光性媒体２２の材料は、コア材料としてシクロオレフィンポリマー(屈折率：１．５２)、クラッド材料としてフッ素樹脂（旭硝子製  商品名サイトップ、屈折率：１．３４）を用いることが可能である。透光性媒体２２は、射出成形等により形成されており、図示しないクラッド材により透光性媒体２２の上面および下面に形成する。透光性媒体２２の開口数（ＮＡ２）は、入射光ファイバ２４の開口数（ＮＡ１）より大きく設けられている。ここで、透光性媒体２２の開口数（ＮＡ２）は、コア屈折率と透光性媒体２２の上面および下面に形成されたクラッドの屈折率で定義する。
【００３９】
また、透光性媒体２２は、必ずしもクラッド材を必要としないため、クラッド材が無い場合は、空気層（屈折率：１）をクラッド層と定義する。
【００４０】
さらに、透光性媒体２２が透光性媒体２２を搭載するガラス基板等と一体で形成された場合（透光性媒体２２と搭載するガラス基板等との間に空気層が存在しない場合）は、ガラス基板等の屈折率と透光性媒体２２の屈折率で開口数（ＮＡ２）を定義する。
【００４１】
また、透光性媒体２２は、その形状を固定するため、図７に示す平板状の固定基板４４に取り付けられている。なお、固定基板４４は、例えばＡＢＳ（スチレン・ブタジエン・アクリロニトリル共重合体）樹脂やガラス基板を用いて形成することができる。さらに、固定基板４４の背面には、前述した固定基板４４を支える取付台３６が設けられている。
【００４２】
さらに、図８（Ｂ）に示されるように、出射部４２から出射される光信号が入射する出射光ファイバ４６の一端が取り付けられ、入射第１コネクタ２８と同一仕様の出射第１コネクタ４８が、出射部４２にたいして６個配置される。
【００４３】
図６に示されるように、各出射第１コネクタ４８には、４本の出射光ファイバ４６が取り付けられており、２５０μｍピッチの８個の接続孔に対し一つおきに出射光ファイバ４６が接続されている。つまり、出射第１コネクタ４８には、出射光ファイバ４６が５００μｍピッチで取り付けられており、図１に示すように、出射部４２に対応するように出射光ファイバ４６が配置されている。
【００４４】
つまり、出射第１コネクタ４８に設けられた接続孔を一つおきに使用すること、及び透光性媒体２２の配置を考慮することで、ＭＴコネクタのように規格化された市販のコネクタを使用して、安価な光分岐装置１８、及び光モジュール２０が実現されている。
【００４５】
さらに、本実施形態では、出射光ファイバ４６として、ＢＦ０４４３４（古河電気工業製、開口数（ＮＡ３）＝０．２７５、コア径/クラッド径=６２．５/１２５μｍ）が用いられている。
【００４６】
つまり、出射光ファイバ４６の開口数（ＮＡ３）は、入射光ファイバ２４の開口数（ＮＡ１）より大きく設けられている。
【００４７】
さらに、図３に示すように、出射光ファイバ４６のコア形状の中に、出射部４２によって反射された１辺が５０μｍの正方形状の反射光が全て入る構成になっており、光信号の利用効率が改善されている。
【００４８】
また、図６に示されるように、出射第１コネクタ４８の長方形状の取付面の両サイドには、取付台３６に向けてガイドピン７０が設けられており、このガイドピン７０を取付台３６の取付穴（図示省略）に嵌め込むことで出射第１コネクタ４８が固定されるようになっている。
【００４９】
さらに、出射光ファイバ４６の他端には、入射第１コネクタ２８と同一仕様の出射第２コネクタ５０が、出射第１コネクタ４８対して６個配置される。出射光ファイバ４６は、出射第２コネクタ５０の８個の接続孔の中で中心側の４つの接続孔に取り付けられている。つまり、２５０μｍピッチで出射光ファイバ４６が出射第２コネクタ５０に取り付けられている。さらに、出射第２コネクタ５０の長方形状の取付面の両サイドには、後述する受光素子６０が取り付けられる受光素子基台６４に向けてガイドピン６２が設けられており、このガイドピン６２を受光素子基台６４の取付穴（図示省略）に嵌め込むことで出射第２コネクタ５０が固定されるようになっている。
【００５０】
また、出射第２コネクタ５０に取り付けられた４本の出射光ファイバ４６に対向する位置には、光信号を受信する受光素子６０が設けられている。この受光素子６０には、素子ピッチが２５０μmで構成されている４ビットのＰＤアレイ（受光径８０μｍ）が採用されており、この素子が出射第２コネクタ５０に取り付けられた出射光ファイバ４６に対向している。
【００５１】
以上の構成により、図８に示されるように、発光素子２６が発信した光信号は、入射第１コネクタ２８に取り付けられた４本の入射光ファイバ２４の一端部から入射して、入射第２コネクタ３２に取り付けられた他端部から４個の透光性媒体２２の入射部４０に向けて水平方向に出射される。
【００５２】
さらに、図１に示されるように、水平方向から透光性媒体２２の入射部４０へ入射した光信号は、傾斜面４０Ａによって６個の出射部４２に向けて反射される。また、反射された光信号は、各出射部４２に設けられた傾斜面４２Ａで反射され、並んで配列された出射第１コネクタ４８に取り付けられた出射光ファイバ４６の一端へ入射する。
【００５３】
さらに、図６に示されるように、出射第１コネクタ４８に取り付けられた出射光ファイバ４６の一端から入射した光信号は、出射第２コネクタ５０に取り付けられた出射光ファイバ４６の他端から出射して受光素子６０で受信される。
【００５４】
ここで、図２に示される透光性媒体２２の傾斜面４０Ａ、４２Ａには、製作上、微妙な凹凸やうねり等が付加されており、透光性媒体２２に入射した光信号を傾斜面４０Ａ、４２Ａで反射することで、光信号が拡散されてしまう。しかし、出射光ファイバ４６の開口数（ＮＡ３）は、透光性媒体２２の開口数（ＮＡ２）より大きく設けられており、さらに、透光性媒体２２の開口数（ＮＡ２）は、入射光ファイバ２４の開口数（ＮＡ１）より大きく設けられている。このため、光信号が、傾斜面４０Ａ、４２Ａでの反射によって散乱されても、入射光ファイバ２４及び出射光ファイバ４６と透光性媒体２２との結合損失を低減することができる。
【００５５】
また、全てのコネクタに同一仕様のコネクタが採用されているため、部品点数が削減されている。
【００５６】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、透光性媒体２２の材料に、シクロオレフィンポリマーを採用しているが、この材料に限られず、透光性を有するプラスチック材料またはガラス等の無機材料が使用可能である。
【００５７】
次に本発明に係る光分岐装置１８が採用された画像表示システム８０の実施形態について図９に従って説明する。
【００５８】
図９に示すように、本実施形態に係る画像表示システム８０は、映像を電気信号で送信するパーソナルコンピュータ８２と、パーソナルコンピュータ８２からの電気信号を受信し電気信号に光信号に変換する光電変換回路（図示せず）と、光分岐装置１８と、を備えている。更に、画像表示システム８０は、光分岐装置１８で分岐された光信号を複数本のケーブル状の光ファイバ９２と、各光ファイバ９２にそれぞれ接続され、光ファイバ９２からの光信号を電気信号に変換する複数のレシーバ（光電変換回路）８８と、レシーバ８８からの電気信号により画像表示する複数のモニタ（画像表示装置）９０と、を備えている。パーソナルコンピュータ８２は、例えばＤＶＩケーブルにより図示しない光電変換回路の電気インターフェイス部と接続され、同様に、レシーバ８８とモニタ９０とがＤＶＩケーブルで接続されている。
【００５９】
パーソナルコンピュータ８２からの映像信号（電気信号）は、光分岐装置１８に接続される光電変換回路でＥＯ変換され、変換されてなる光信号は、複数の光ファイバ９２を経由し、複数のレシーバ８８に伝送される。レシーバ８８では、ＯＥ変換された電気信号がモニタ９０に伝送され、モニタ９０で映像が表示される。
【００６０】
本実施形態により、光分岐装置１８を採用することで入射光ファイバ２４及び出射光ファイバ４６と透光性媒体２２との結合損失を低減することができ、画像を表示するための信号を、複数のモニタ９０に効率良く分配して表示することが可能となる。
【図面の簡単な説明】
【００６１】
【図１】本発明の実施形態に係る光分岐装置の透光性媒体、入射第２コネクタ、及び出射第１コネクタ等を示した斜視図である。
【図２】本発明の実施形態に係る光分岐装置の透光性媒体を示した斜視図である。
【図３】本発明の実施形態に係る光分岐装置の透光性媒体を光ファイバの方向から見た前面図である。
【図４】本発明の実施形態に係る光分岐装置の透光性媒体、入射光ファイバ、及び出射光ファイバ等を示した側面図である。
【図５】本発明の実施形態に係る光分岐装置の入射第１コネクタを示した斜視図である。
【図６】本発明の実施形態に係る光モジュールの出射光ファイバ等を示した平面図である。
【図７】本発明の実施形態に係る光モジュールの入射光ファイバ等を示した平面図である。
【図８】本発明の実施形態に係る光モジュールを示した概略構成図である。
【図９】本発明の実施形態に係る画像表示システムを示した概略構成図である。
【符号の説明】
【００６２】
１８      光分岐装置
２０      光モジュール
２２      透光性媒体
２４      入射光ファイバ
２６      発光素子
２８      入射第１コネクタ
３２      入射第２コネクタ
４０Ａ    傾斜面
４０      入射部
４２Ａ    傾斜面
４２      出射部
４６      出射光ファイバ
４８      出射第１コネクタ
５０      出射第２コネクタ
６０      受光素子
８０      画像表示システム（光伝送システム）
８４      電気インターフェイス
８８      レシーバ（光電変換回路）
９０      モニタ（画像表示装置）
【図１】
2008064869.tif 000003
【図２】
2008064869.tif 000004
【図３】
2008064869.tif 000005
【図４】
2008064869.tif 000006
【図５】
2008064869.tif 000007
【図６】
2008064869.tif 000008
【図７】
2008064869.tif 000009
【図８】
2008064869.tif 000010
【図９】
2008064869.tif 000011